(57)【特許請求の範囲】
【請求項１】
複数枚のワイパーが積層されてなる六面体状のワイパー束の収納部、及び各ワイパーの取出部を有する六面体状のケース本体と、
このケース本体の台座部材と、
この台座部材と前記ケース本体との間において前記ケース本体の垂直回転軸となる軸部材とが備わり、
前記ケース本体を回転させると又は前記ケース本体が回転すると、前記取出部が臨む方向も回転し、
前記ケース本体の正面は、上端部が上側片によって覆われ、下端部が下側片によって覆われ、前記上側片と前記下側片との間が開口しており、この開口が前記取出部になり、
前記ケース本体の側面の一方は、全面が開口し、
前記ケース本体の側面の他方は、下端部が障壁によって覆われ、
前記障壁は、前記下側片と平面視でＬ字状に繋がっている、
ことを特徴とするワイパー用ディスペンサー。
【請求項２】
前記台座部材の幅は、前記ケース本体の幅よりも狭くなっている、
請求項１記載のワイパー用ディスペンサー。
【請求項３】
前記軸部材に支持され、かつ当該軸部材が垂直回転軸となる回転台座部材が備わり、
当該回転台座部材に前記ケース本体が載置され、
前記回転台座部材の幅は、前記ケース本体の幅よりも狭くなっている、
請求項１又は請求項２に記載のワイパー用ディスペンサー。
【請求項４】
前記回転台座部材に固定された底部と、この底部の一端部から斜めに立ち上がる傾斜部と、前記底部の他端部から垂直に立ち上がる支持部とを有し、前記傾斜部の上端部は前記支持部の上端部に接続されている傾斜台が備わり、
当該傾斜台の傾斜部と前記ケース本体の背面を構成する部材とが固定されて、前記取出部が臨む方向が斜め上になっている、
請求項３記載のワイパー用ディスペンサー。
【発明の詳細な説明】
【技術分野】
【０００１】
本発明は、不織布ワイパー、紙製ワイパー（払拭用紙）等のワイパーのディスペンサーに関するものである。
【背景技術】
【０００２】
研究施設や検査施設、病院等の各種施設では、試験管やピペット等の試験器具に付着した水滴、検査薬、塵埃等の微細な汚れを拭き取るために、ワイパーが汎用されている（例えば、特許文献１参照）。この種のワイパーは、通常、複数枚が積層されてなるワイパー束とされ、このワイパー束が紙製カートン等の収納容器に収納されたうえで、収納容器から１枚ずつ取り出すという形態で使用される。また、必要なときにすぐに使用することができるように、ワイパー（束）の収納容器は、研究者等の手元に置かれる。
【０００３】
しかるに、このような使用形態によると、例えば、１つの実験台を囲んで数人の研究者が実験等を行うような場合は、１つの実験台の上に複数個の収納容器が置かれることになり、実験等に使用することができるスペースを狭める原因になる。
【先行技術文献】
【特許文献】
【０００４】
【特許文献１】特開２００５−１４３５２３号公報
【発明の概要】
【発明が解決しようとする課題】
【０００５】
本発明が解決しようとする主たる課題は、実験台等に置かれた１つのワイパー束を数人で共有することを可能にするワイパー用ディスペンサーを提案することにある。
【課題を解決するための手段】
【０００６】
上記課題を解決するための手段は、次のとおりである。
（手段１）
複数枚のワイパーが積層されてなる六面体状のワイパー束の収納部、及び各ワイパーの取出部を有する六面体状のケース本体と、
このケース本体の台座部材と、
この台座部材と前記ケース本体との間において前記ケース本体の垂直回転軸となる軸部材とが備わり、
前記ケース本体を回転させると又は前記ケース本体が回転すると、前記取出部が臨む方向も回転し、
前記ケース本体の正面は、上端部が上側片によって覆われ、下端部が下側片によって覆われ、前記上側片と前記下側片との間が開口しており、この開口が前記取出部になり、
前記ケース本体の側面の一方は、全面が開口し、
前記ケース本体の側面の他方は、下端部が障壁によって覆われ、
前記障壁は、前記下側片と平面視でＬ字状に繋がっている、
ことを特徴とするワイパー用ディスペンサー。
【０００７】
（手段２）
前記台座部材の幅は、前記ケース本体の幅よりも狭くなっている、
請求項１記載のワイパー用ディスペンサー。
【０００８】
【０００９】
（手段３）
前記軸部材に支持され、かつ当該軸部材が垂直回転軸となる回転台座部材が備わり、
当該回転台座部材に前記ケース本体が載置され、
前記回転台座部材の幅は、前記ケース本体の幅よりも狭くなっている、
請求項１又は請求項２に記載のワイパー用ディスペンサー。
【００１０】
（手段４）
前記回転台座部材に固定された底部と、この底部の一端部から斜めに立ち上がる傾斜部と、前記底部の他端部から垂直に立ち上がる支持部とを有し、前記傾斜部の上端部は前記支持部の上端部に接続されている傾斜台が備わり、
当該傾斜台の傾斜部と前記ケース本体の背面を構成する部材とが固定されて、前記取出部が臨む方向が斜め上になっている、
請求項３記載のワイパー用ディスペンサー。
【発明の効果】
【００１１】
本発明によると、実験台等に置かれた１つのワイパー束を数人で共有することを可能にするワイパー用ディスペンサーになる。
【図面の簡単な説明】
【００１２】
【図１】ディスペンサー全体の正面図である。
【図２】ディスペンサー全体の背面図である。
【図３】ディスペンサー全体の側面図である。
【図４】ケース本体の斜視図である。
【図５】ワイパー束をケース本体に収納する場面の斜視図である。
【発明を実施するための形態】
【００１３】
次に、発明を実施するための形態を説明する。
（定義）
ケース本体を説明するために使用する「上」、「下」との用語は、文字通りケース本体の上、下を意味し、台座部材等の他の部材においても、上、下であることまでは意味しない。これは、後述するように、ケース本体が傾斜するため、ケース本体の上、下と、他の部材の上、下がずれることによる。
【００１４】
卓（たく）とは、実験台等の机やテーブルを意味する。本形態のディスペンサーは、このような卓の上に置いて使用するのに適するものである。しかしながら、床や本棚等の卓以外の設備、家具等の上に置いた場合であっても本形態の範囲外になるものではない。
【００１５】
（用途）
本形態のディスペンサーは、複数枚のワイパーが積層されてなるワイパー束の収納に使用する。ワイパー束の形状（外形）は、直方体状である。ただし、後述するケース本体２の形状を適宜変更することで、ワイパー束が立方体状等の他の六面体状である場合にも使用することができる。
【００１６】
ワイパー束を構成する各ワイパーは、後述する取出口２Ｙから１度に１枚ずつ取り出すことを想定している。ただし、１度に取り出すことができるワイパーの枚数は使用方法の問題でもあり、使用する者の意思等にも依存する。したがって、１度に取り出すことができるワイパーの枚数によって本形態の範囲が限界づけられるものではない。つまり、ワイパーを１度に２枚以上を取り出すことができるとしても、このことをもって本形態の範囲外になるものではない。
【００１７】
ワイパー束を構成するワイパーの積層方法も、本形態の範囲を限界づけるものではない。なお、ワイパーの積層方法としては、例えば、二つ折りされた方形のワイパーを、折返し片の縁が隣接するワイパーの折返し内面に位置するようにして互い違いに重なり合うようにした形態等が考えられる。
【００１８】
ワイパーの素材は、不織布であっても、紙であっても、その他の素材であってもよい。つまり、ワイパーの素材によって、本形態の範囲が限界づけられるものではない。
【００１９】
（ディスペンサー）
図１〜図３に示すように、ディスペンサー１は、ケース本体２と、台座部材３と、軸部材４と、回転台座部材５と、傾斜台７と、を主に有する。以下、順に説明する。
【００２０】
（ケース本体）
ケース本体２は、図４にも示すように、正面２Ａ、背面２Ｂ、一対の側面２Ｃ，２Ｄ、天面２Ｅ、及び底面２Ｆを有する直方体状である。ただし、収納するワイパー束１０の形状等によっては、ケース本体２を立方体状等の他の六面体状にすることもできる。
【００２１】
ケース本体２の内空部は、ワイパー束１０を収納し、保持する収納部２Ｘである。図５に示すように、ワイパー束１０は、包装材１２で包まれた状態で収納部２Ｘに収納する。ただし、ワイパー束１０は、むき出しの状態で収納部２Ｘに収納することもできる。
【００２２】
包装材１２には、スリット１２Ｓが形成されている。このスリット１２Ｓが、後述する取出部２Ｙに臨むようにワイパー束１０を収納する。包装材１２は、例えば、紙（紙カートン）、ＰＰフィルム等を素材とする。
【００２３】
ケース本体２の正面２Ａは、上端部が上側片２１によって覆われ、下端部が下側片２２によって覆われている。つまり、正面２Ａは、上端部及び下端部において閉口し、上下方向ＹＤの中心部において開口している。この中心部の開口は、各ワイパー１１の取出部２Ｙになる。上側片２１及び下側片２２は、各ワイパー１１を取り出す（引き出す）際に、ワイパー束１０が正面２Ａから抜け落ちてしまうのを防止する役割を有する。上側片２１、取出し部２Ｙ、及び下側片２２の上下方向ＹＤに関する寸法比Ｌ６：Ｌ７：Ｌ８（図５参照）は、好ましくは１：１：１〜１：４：１である。なお、Ｌ６＋Ｌ７＋Ｌ８は、例えば、１２ｃｍである。
【００２４】
ケース本体２の背面２Ｂは、背板２３によって全面が覆われている。つまり、背面２Ｂは、全面が閉口している。背板２３は、ワイパー束１０が背面２Ｂから抜け落ちてしまうのを防止する役割を有する。したがって、この役割を果たすことができる範囲で、背面２Ｂの一部を開口することもできる。
【００２５】
ケース本体２の側面の一方２Ｃは、全面が開口している。この開口は、ワイパー束１０を収納部２Ｘに収納するための入口部になる。他方、側面の他方２Ｄは、下端部が障壁２４によって覆われている。つまり、側面の他方２Ｄは、上端部及び上下方向ＹＤの中心部において開口し、下端部において閉口している。障壁２４は、側面の一方２Ｃから収納されたワイパー束１０が側面の他方２Ｄから抜け落ちてしまうのを防止する役割を有する。障壁２４は、ケース本体２の正面２Ａに備わる下側片２２と繋がっている。障壁２４及び下側片２２は、平面視でＬ字状になっており、ケース本体２の強度が保たれている。障壁２４は、例えば、側面の他方２Ｄの上端部や上下方向ＹＤの中心部に位置させることもできる。
【００２６】
ケース本体２の天面２Ｅは、天板２５によって全面が覆われている。つまり、天面２Ｅは、全面が閉口している。天板２５は、ケース本体２の正面２Ａに備わる上側片２１を支持する役割を有する。したがって、この役割を果たすことができる範囲で、天面２Ｅの一部を開口することもできる。
【００２７】
ケース本体２の底面２Ｆは、底板２６によって全面が覆われている。つまり、底面２Ｆは、全面が閉口している。底板２６は、収納部２Ｘに収納されたワイパー束１０が落下してしまうのを防止する役割を有する。したがって、この役割を果たすことができる範囲で、底面２Ｆの一部を開口することもできる。なお、底板２６は、ケース本体２の正面２Ａに備わる下側片２２を支持する役割を有する。しかるに、この役割は、障壁２４に委ねることもできる。
【００２８】
ケース本体２を構成する各部材、すなわち、上側片２１、下側片２２、背板２３、障壁２４、天板２５、及び底板２６は、透明な樹脂製である。ただし、ワイパー束１０を保持することができる剛性があれば足り、例えば、紙製や金属製にすることもできる。また、ケース本体２を構成する各部材は、半透明や不透明にすることもできる。
【００２９】
（台座部材）
台座部材３は、ディスペンサー１全体を支える役割を有する。台座部材３は、実験台等の卓（たく）Ｄの上に置かれる。台座部材３は、平面視で円形状又は多角形状である。この形状は、適宜変更することができる。
【００３０】
台座部材３の底面３Ｂには、複数の防滑材６が備わる。この防滑材６が卓Ｄに当接する。防滑材６は、ケース本体２からワイパー１１を引き抜いた（取り出した）際に、ディスペンサー１が移動してしまうのを防止する役割を有する。
【００３１】
台座部材３は、樹脂製である。ただし、ディスペンサー１全体を支えることができる剛性及び重量があれば足り、例えば、金属製にすることもできる。意匠的な観点では、ケース本体２と同様に、台座部材３を透明又は半透明にすることも考えられる。
【００３２】
台座部材３の幅Ｌ２は、ケース本体２の幅Ｌ１よりも狭くなっている。このこととケース本体２が斜めになっていることとにより、紙カートン等に収納されたワイパー束１０をそのまま卓Ｄに置いた場合よりも、場所をとらなくなる。したがって、必要により、台座部材３の幅Ｌ２をケース本体２の幅Ｌ１と同じに、又はケース本体２の幅Ｌ１よりも広くすることができる。
【００３３】
（軸部材）
軸部材４は、台座部材３と回転台座部５との間に位置する。軸部材４は、支持体４Ａ及び留め金４Ｂを構成要素とする。
【００３４】
支持体４Ａは、回転台座部５の垂直軸としての役割、及び回転台座部５を支える役割を有する。回転台座部５は、支持体４Ａを中心として自由に回転する。支持体４Ａは、台座部材３の天面３Ａの中心部に固定されている。ただし、必要により、天面３Ａの中心から逸れた位置に支持体４Ａを固定することもできる。
【００３５】
留め金４Ｂは、回転台座部５が下方に落ち込むのを留める役割を有する。留め金４Ｂは、支持体４Ａ回りに固定されている。
【００３６】
支持体４Ａ及び留め金４Ｂは、金属製である。ただし、耐久性を有するようであれば、例えば、樹脂製にすることもできる。
【００３７】
（回転台座部材）
回転台座部材５は、傾斜台７及びケース本体２を支える役割を有する。回転台座部材５は、軸部材４の支持体４Ａに支持された状態で、当該支持体４Ａを垂直回転軸にして自由に回転する。回転台座部材５が回転すると、この上に載る傾斜台７及びケース本体２も回転する。ケース本体２が回転すると、取出部２Ｙが臨む方向も回転する。例えば、卓Ｄの中心部にディスペンサー１を置いておけば、取出部２Ｙが臨む方向を回転させることで、卓Ｄ回りのどの位置にいる研究者等もワイパー１１を容易に取り出すことができる。したがって、卓Ｄの上に複数のワイパー束１０を置いておく必要がなくなる。
【００３８】
回転台座部材５は、樹脂製である。ただし、傾斜台７及びケース本体２を支えることができる剛性があれば足り、例えば、金属製にすることもできる。意匠的な観点では、台座部材３と同様に、回転台座部材５を透明又は半透明にすることも考えられる。
【００３９】
回転台座部材５の幅Ｌ３は、台座部材３と同様に、ケース本体２の幅Ｌ１よりも狭くなっている。これらのこととケース本体２が斜めになっていることとにより、紙カートン等に収納されたワイパー束１０をそのまま卓Ｄに置いた場合よりも、場所をとらなくなる。したがって、必要により、回転台座部材５の幅Ｌ３をケース本体２の幅Ｌ１と同じに、又はケース本体２の幅Ｌ１よりも広くすることができる。
【００４０】
（傾斜台）
傾斜台７は、取出部２Ｙが臨む方向を斜め上にする役割を有する。取出部２Ｙが臨む方向が斜め上に向くと、研究者等がワイパー１１を取り出すのが容易になる。また、取出部２Ｙが臨む方向が斜め上に向くと、ワイパー１１を取り出した際に、ディスペンサー１が移動し難くなる（ずれ難くなる）。
【００４１】
傾斜台７は、回転台座部材５に固定された底部７Ａと、この底部７Ａの一端部（前端部）から斜めに立ち上がる傾斜部７Ｂと、底部７Ａの他端部（後端部）から垂直に立ち上がる支持部７Ｃと、を有する。つまり、傾斜台７の側面は、直角三角形状である。
【００４２】
傾斜部７Ｂの上端部は、支持部７Ｃの上端部に接続されおり、剛性が保たれている。傾斜部７Ｂには、ケース本体２の背板（背面２Ｂを構成する部材）２３が固定されている。これにより、ケース本体２の取出部２Ｙが臨む方向が斜め上になる。この背板２３の固定は、着脱可能にすることもできる。
【００４３】
傾斜台７を構成する各部材、すなわち、底部７Ａ、傾斜部７Ｂ、及び支持部７Ｃは、樹脂製である。ただし、ケース本体２を支えることができる剛性があれば足り、例えば、金属製にすることもできる。意匠的な観点では、ケース本体２と同様に、各部材７Ａ，７Ｂ，７Ｃを透明又は半透明にすることも考えられる。
【００４４】
傾斜台７の幅Ｌ４は、ケース本体２の幅Ｌ１よりも狭くなっている。ただし、必要により、傾斜台７の幅Ｌ４をケース本体２の幅Ｌ１と同じに、又はケース本体２の幅Ｌ１よりも広くすることができる。
【産業上の利用可能性】
【００４５】
本発明は、不織布ワイパー、紙製ワイパー（払拭用紙）等のワイパーのディスペンサーとして利用することができる。
【符号の説明】
【００４６】
１…ディスペンサー、２…ケース本体、２Ａ…正面、２Ｂ…背面、２Ｃ…側面（の一方）、２Ｄ…側面（の他方）、２Ｅ…天面、２Ｆ…底面、２Ｘ…収納部、２Ｙ…取出部、３…台座部材、３Ａ…天面、３Ｂ…底面、４…軸部材、４Ａ…支持体、４Ｂ…留め金、５…回転台座部材、６…防滑材、７…傾斜台、７Ａ…底部、７Ｂ…傾斜部、７Ｃ…支持部、１０…ワイパー束、１１…（各）ワイパー、１２…包装材、１２Ｓ…スリット、２１…上側片、２２…下側片、２３…背板、２４…障壁、２５…天板、２６…底板、Ｄ…卓、ＹＤ…上下方向。
【図１】
0006681060.tif 000002
【図２】
0006681060.tif 000003
【図３】
0006681060.tif 000004
【図４】
0006681060.tif 000005
【図５】
0006681060.tif 000006